(57)【要約】      （修正有）【課題】簡単に柄の長さ調整が可能であって、中高所に有る太めの枝、小枝を効率よく捕獲して、安定的に、且つ、効率よく切断可能な動力式の高所枝切り機を提供する。【解決手段】高枝切り機の柄の先端部分に設けた動力変換機構、変換機構は円筒回転軸内に形成された左右回転方向回転溝付き軸に、操作柄内挿の動力伝達軸を接続、動力伝達軸は伸縮機能を有し伸縮を簡素化し、柄の長さ調整と同時に行える構成とし、動力変換機構で軸回転を往復運動に替えられ往復作動軸に接続し、先端部に設けられた鋸刃作動用スライド材に接続、スライド部材に枝押さえ材を設ける、動力変換機構を円筒軸とする事により軽量化をはかり、鋸刃機能取り替え接続部を設けた事により多様な使用が可能となる構成とした。【選択図】図１
2014230533.tif 000002
【特許請求の範囲】
【請求項１】
回転動力を直線往復運動に変換する動力変換機構に伝達する操作柄内挿入の伸縮動力伝達軸と、動力変換機構に連結された鋸刃スライド部材、該スライド部材に設けられた枝押さえ具とからなり、
前記動力変換機構は、回転動力機の円筒回転軸内に形成された、左右回転方向の交差する溝からなり、左右の溝が軸の両端で連結され回転方向が変わり、溝内をスライドするスライドコマに接続された往復作動軸により、スライド部材を鋸刃が往復作動する、スライドコマの両脇に設けられたスライドコマ安定補助ベアリングを有した事を特徴とする高所枝切り機。
【請求項２】
前記動力伝達作動軸は、前記基幹部に固定された外柄と該外柄に内挿され伸縮する内柄とからなる柄体と、該柄体の内部にあって前記動力変換機構に連結された外軸と該外軸に内挿され伸縮する内軸とからなる回転軸とからなり、
前記外柄の先端部には前記内柄の伸縮と固定を司る柄長さ調整手段を備え、前記外軸には前記内軸の伸縮がフリ−となる回転軸組み合わせ凹部が設けられ、前記内軸には軸全長に凸帯が設けられ、操作柄と長さ調整が同時に行われることを特徴とする請求項１記載の高所枝切り機。
【請求項３】
前記切断鋸部は、鋸刃を保持し前記動力変換機構内作動軸に連結され、スライド部材に取り付けられると共に、スライド部材の先端部に枝押さえ材が設けられ、枝押さえ材は鋸刃を挟む形状であり鋸刃ぶれを防ぎ刃先を守り、鋸刃と協調し枝ぶれを防止する形状からなることを特徴とする請求項１または請求項２のいずれかに記載の高所枝切り機。
【請求項４】
回転動力機と把持部を備えた操作部と、該操作部に連結されて回転動力を伝達する動力伝達部と、該動力伝達柄部の先端に設けられ回転動力の伝達を受ける受動軸と該受動軸に対して略直交する出力軸に伝達する回転軸方向変換部と、該回転軸方向変換部の出力軸に軸支された丸鋸刃とからなり、前記回転軸方向変換部には、前記丸鋸刃の一部を露出させる開口部を備えた丸鋸刃カバ−が設けられていて、該開口部の両端部が丸鋸刃の外周面より突出していて、片方がより多く突出して枝を受け、切られた枝が絡まるのを防止する形状であり、前記丸鋸刃カバ−の一部に切り葉等の屑排出口を設けた構造を特徴とする                請求項１または請求項２のいずれかに記載の高所小枝切り機。
【請求項５】
前記記載の請求項１、請求項2、請求項３、及び請求項４記載の構成からなる枝切り機、操作柄先端部に設けた鋸刃機能取り替え接続部の使用により、引き鋸刃タイプ、丸鋸刃タイプが使用できる構成を特徴とする請求項１〜４のいずれかに記載の高所枝切り機。
【発明の詳細な説明】
【技術分野】
【０００１】
本発明は、樹木の高所の枝を切る高所枝切り機に関するものである。
【背景技術】
【０００２】
従来,街路樹や庭木等の高所の太枝、小枝切り作業は、脚立等の足場を使用し、剪定鋏や手引き鋸切り等で太枝、小枝切り作業を行う、又、高所枝切り具では鋸刃、鋏等で作業する、又、動力による引き鋸刃を使用したものもある、この動力式の高所の枝切り機の先行技術として、動力により往復運動させて枝切りする構成の物として鋸刃の両側に隣接させてフックを設け、このフックは往復動する鋸刃の刃面より後方に回動する支点を有すると共にバネ仕掛けを備えたものであり、フックを切り落とす枝に掛けて高枝切り機の荷重を支えると共に、このフックと鋸刃との間に切り落とす枝を挟み、フックのバネ仕掛けで鋸刃を枝に押し付けながら枝を切り落とすものであり、作業領域の拡大と安定性を高め、枝切り機の荷重の軽減により疲労を少なくし、安全にして、作業効率を高めた構造となっている（例えば、特許文献１参照）。
【０００３】
然しながら、このような装置によると、枝に掛けたフックの支点と枝を切る鋸刃の切断点との力点が食い違うことがあるため、切る枝と鋸刃の接する角度が直角以外では鋸刃の作動が悪くなる事もあり、しかも、上記の物にあっては、作業者の技量によっては最適な切り方をバネ仕掛けが邪魔をする場合があるので、必ずしも効率的な操作にならないと言う欠点がある。
【０００４】
また、動力により丸鋸刃を回転させ枝切り作業を行う構成としたものもある。この物にあっては、丸鋸刃の外周の一部に枝受け突起を両側に設けたものがある（例えば、特許文献２参照）。
【０００５】
然しながら、この動力式のものにあっては、Ｕ字状ガイドに切る枝を挟み込む構成と成っているためＵ字状ガイド以下の枝しか切る事が出来ず、操作棹の中心上にＵ字状ガイドが位置するため切る枝に合わせて枝を挿入しずらい等の難点が生じる。
【先行技術文献】
【特許文献】
【０００６】
【特許文献１】特開２０００−２３６７４７号公報
【特許文献２】特開１１−４６５８３号公報
【発明の概要】
【発明が解決しようとする課題】
【０００７】
以上のような欠点に鑑み、本発明は簡単に柄の長さ調整が可能であって、中高所に有る太めの枝、小枝を効率よく捕獲して、安定的に、且つ、効率よく切断可能な動力式の高所枝切り機を提供することを目的としている。
【課題を解決するための手段】
【０００８】
上記目的を達成するために、本発明は回転動力機と把持部を備えた操作部と、該操作部に連結されて回転動力を伝達する動力伝達柄部と、該動力伝達柄部の先端側に設けられ回転動力を直線往復運動に変換する動力変換機構を設けることと、長い柄と柄の接続、長柄のパイプ内に内挿されたパイプ軸と軸の長さ調整が同時に行われる構成とした引き鋸刃タイプの高枝切り機となる構成とした。
【０００９】
また、高所の小枝切りがスム−スに行える考案として、上記構成の動力伝達柄部と回転動力の伝達を受ける受動軸と該受動軸に対して略直交する出力軸に伝達する回転軸方向変換部と、該回転軸方向変換部の出力軸に軸支された丸鋸刃とからなり、前記回転軸方向変換部には、前記丸鋸刃の一部を露出させる開口部を備えた丸鋸刃カバ−が設られていて、.該開口部の両端部が丸鋸刃外周面より突出し、片端が枝受け用に長く突出し、略Ｕ字状に切欠かれた形状とで高枝小枝切り機を構成している。
【００１０】
上記構成の動力伝達柄部、動力伝達軸の先端部に、回転動力を直線往復運動に替える機構部と、回転運動を軸回転方向変換部と丸鋸刃部とを設けた機構部を、接続交換部を設ける事により作業性が良く、また、直線往復運動変換部と回転動力機を動力連結具で接続する事により手元にての作業用としても、多方面に使用できる。
【００１１】
また、前記パイプ軸の摺動回転手段は外軸の内径部に設けられた凹凸状と内軸に設けられた凹凸状とで構成されている、その他既存の方法でもよい。
【発明の効果】
【００１２】
上述したように本発明の高所枝切り機は、高所から低所に至る太めの枝から小枝まで自在に切る事ができ、又、接続柄の長さ、柄内の接続動力伝達回転軸の長さ調節が同時に簡単にできるので、高所から中低所に至る枝切り作業範囲の拡大ができるとともに.移動に小回りができ、且つ、これらの作業が安定的に、効率よく行うことができる。
【図面の簡単な説明】
【００１３】
【図１】本発明を実施するための実施例１の全体概要図。
【図２】同上実施例１の回転動力往復運動変換回転軸の縦方向開口図。
【図３】同上実施例１の同上回転軸、スライドコマ及びベアリング、回転軸及び              スライド部連結ケ−ス、往復作動軸、回転軸ベアリング、断面図。
【図４】同上実施例１の引き鋸刃、枝押さえ、スライド部材、往復作動軸の断面図
【図５】同上実施例１の枝押さえ、スライド部材の側面図。
【図６】同上実施例１と２の引き鋸、丸鋸用部材接続切り替え部材断面図。
【図７】同上実施例２の全体概略図。
【図８】同上実施例２の丸鋸回転部、パイプ柄、回転動力伝達接続部断面図。
【図９】同上実施例１と２の接続柄、接続軸の断面図。
【図１０】同上実施例２の突起部付き鋸刃カバ−、鋸刃、柄接続部図。
【図１１】同上実施例１と２の動力伝達回転軸の組み合わせ斜視図。
【図１２】同上実施例２の枝葉の切り屑排出口を表す図。
【図１３】同上実施例２の枝葉の切り屑排出口を表す１Ａ部分断面図。
【図１４】同上実施例２の横枝を切る使用状態を示す図。
【図１５】同上実施例２の縦枝を切る使用状態を示す図。
【図１６】同上実施例３の低枝用枝切り機に使用図。
【発明を実施するための形態】
【００１４】
以下、本発明の実施の形態を図面に基づいて説明する。
【実施例１】
【００１５】
図１〜６に示す実施例１において、図１は、動力機６に動力連結具５を介しパイプ柄３に、また、パイプ柄ジョイント留め具９を介し細パイプ柄４に接続され鋸刃機能取り替え接続部１２を介し往復作動変換回転軸ケ−ス１３に、さらに鋸刃スライド部材１６に接続され、スライド部材１６の先端部に設けられた枝押さえ具１４、また、スライド部材に取り付けられた引き鋸刃１５等で高枝切り機が構成されている。
【００１６】
図２、図３は、往復作動変換回転軸１８を表す断面図、図２に示す１８ａは溝を形成するための材で、１８ｂは形成された溝、図３で表す、回転する動力軸２３の回転を往複作動変換回転軸ケ−ス１３に設けたベアリング２１を介し往復作動変換回転軸１８を回転する。往復作動変換回転軸１８に設けられた溝１８ｂに挿入されたスライドコマ２０がスライドする事により、往復作動変換回転軸内往復作動軸１７が往復運動する、スライドコマが安定的にスライドするために設けたスライドコマ支持材１９、その中にスライドコマ押さえバネ２５、スライドコマ支持材１９の両側に設けられたベアリング２４により安定したスライドが行われる。また往復作動軸側のベアリング２２の内径は往複作動軸の径より広くなっている。
【００１７】
図4〜図５は，引き鋸刃１５、鋸柄２７、鋸柄に接続する鋸刃スライド材２８、と往複作動軸１７、鋸刃スライド部材１６の先端部に設けた枝押さえ具２６、この枝押さえ具で切る枝を押しきみにする事により鋸刃による枝の戻り作用を押さえ、枝ぶれを防ぐ、又、スライドする範囲を大きく取る事により長い鋸刃が使用でき、切る枝の径より鋸刃のスライドが多い為、鋸刃に溜まるおがくず（切りくず）が排出され、スライドが少ないと鋸刃内におがくずがたまり、切り込みが悪くなるという欠点がある。図６は、実施例１と２、の引き鋸刃、丸鋸刃部材接続切り替え部材の断面図、パイプ柄４の先端部と引き鋸刃用部材と丸鋸刃用部材の接続切り替え部材１２，１２ａで、パイプ柄４とパイプシャフト１１は共通使用であり、４ｂは引き鋸刃用、４ａは丸鋸刃用の接続部パイプ、１１ｂは引き鋸刃用、１１ｃは丸鋸刃用回転軸、共通回転軸に設けられた２９のメスネジに引き鋸刃用、丸鋸刃用回転軸１１ｂ、１１ｃ側のオスネジをはめ込みダブルナットで締める、この取り合わせで太、細の枝切り作業がより効率良く行える。
【実施例２】
【００１８】
図７〜１１に示す実施例２において、動力機６、パイプ柄３，４を接続する動力連結具５、パイプ柄を接続して留めるパイプ柄ジョイント留め具９、丸鋸回転部を接続する鋸刃機能取り替え接続部１２、鋸刃２、枝受け突起部付き丸鋸刃カバ−１、等で小枝切り機が構成されている。
【００１９】
図１０は丸鋸刃による小枝切り機部、１、１ａは枝受け部付きの丸鋸刃カバーであり２
は回転する丸鋸刃である。この丸鋸刃カバ−１は  、丸鋸刃２の側面と刃部を覆う部分と丸鋸刃２の外周の刃部を露出させる開口部１ｃとからなり、この開口部１ｃの両端部には刃部と両側面を覆った端部枝受け突起部１ａ、１ｂが設けられていて、Ｕ字状に形成された切り欠き部となっている。又、この開口部１ｃの始まり位置はパイプ柄４ａの軸心方向に対して所定の角度にずれた位置に配置されていて(高所の枝の切る位置に合わせ、枝の落下位置より遠くの位置にて作業するために、枝の横上から切る角度に合わせる)枝切り作業のしやすい角度が得られる。
【００２０】
このように構成された丸鋸刃カバ−の機能を更に詳しく説明する。
１)    突起部１ａは、小枝切り時の枝ぶれを防ぎ、丸鋸刃の回転による枝の流れを堰き止める役割がある。
２)    丸鋸刃カバ−の開口部以外の丸鋸刃の側面が見えている部分は、枝葉の切り屑がからむのを防止するために開放形状となっていて、さらに突起部１ａの丸鋸刃側１ｅはカバ−
側１ａより突出する形状となっており切られた枝が絡まるのを防止する。又、さらに鋸刃カバ−側の一部に葉屑等の排出口１ｄが設けられていて、丸鋸刃カバ−側１ａより１Ａ側のほうが丸鋸刃に対して間隔が広い構成となっている為、幾重にも絡まりを防止する構成となっている(図１２、１３)参照。
【００２１】
図８〜９、ギャ−部８は回転方向変換部であり、この内部は回転方向を直角に変える組傘歯車８ａで、構成されていて、傘歯車８ａの回転軸には丸鋸刃２が、丸鋸刃留めネジ７で軸支されていて、傘歯車８ａの回転軸(受動軸)はパイプシャフト(回転軸)１１ｃに駆動さ
れるように連結し固定されている。又、回転軸方向変換部には、丸鋸刃カバ−１が固定されている。図９は、図８のＡ−Ａの断面図であり、パイプ柄３、４の内部に挿入されたパイプシャフト１０、１１で、シャフト１０の先端部に凹形状の部分が設けられ、(１０ａ)シャフト１１には１１ａの凸形状が帯状に設けられている。この形状のシャフト１０、シャフト１１の組み合わせにより、柄の長さ調整と同時にシャフトの長さも安易に行われる(図１１参照)。動力源として小型の電気ドリル機、小型のエンジン機等の利用が可能である。
【００２２】
図１４〜１５に示す実施例２において、図１４は横枝を切る姿であり、又、１５図は縦方向の枝を切る姿である。切る枝木に対して、切った枝が作業者に当たらない角度の位置を確保する必要があり、そのため丸鋸刃の開口部が操作柄の軸心より切り易い角度に設けられている。丸鋸刃の径は１５０ミリ以下ぐらいで、直径が３０ミリ以下の枝切りが可能である。そして、より枝切り機の軽量化を計るため、丸鋸刃を小径化するために回転変換ギャ−を小型のものを使用する。又、安全対策として、例えばダブルスイッチ等を動力機に設け、又，肩ベルト等を使用する。
【実施例３】
【００２３】
図１４に示す枝切り機の全体略図は、低い位置の枝切りに適した枝切り機で、上記構成の枝切り機の柄の部分を使用しないで、引き鋸タイプの上部と動力連結具で接続する動力機で構成されている。
図示しないが、往復作動回転軸には潤滑剤(グリス)の注入口と潤滑剤漏れ防止のパッキンが設けられている。又、上記構成によらない、鋸刃機能取り替え回転軸接続部材を使用しない、引き鋸刃タイプ、丸鋸刃タイプが構成されてもよい。
【産業上の利用可能性】
【００２４】
本発明の高所枝切り機は、林業、造園業、農園、庭木など幅広い範囲で利用出来る。
【符号の説明】
【００２５】
1      枝受け突起部付き丸鋸刃カバ−(１ａ、１ｂ、１ｃ、１ｄ、１ｅ、１Ａ)
2      丸鋸刃
3      太パイプ
4      細パイプ４ａ
5      動力連結具
6      動力機
7      丸鋸刃留めネジ
8      ギャ−部８ａ
9      パイプ柄ジョイント留め具
10     太パイプシャフト凹部分付き１０ａ
11     細パイプシャフト凸板付き１１ａ
12     鋸刃機能取り替え接続部１２ａ
13     往復作動変換回転軸ケ−ス
14     枝押さえ具
15     引き鋸刃
16     鋸刃スライド部材
17     往復作動変換回転軸内往復作動軸
18     往復作動変換回転軸１８ａ  １８ｂ
19     スライドコマ支持部材
20     スライドコマ
21     往復作動変換回転軸動力側ベアリング
22     往復作動変換回転軸スライド軸側ベアリング
23     引き鋸刃用動力回転軸
24     スライドコマ保持ベアリング
25     コマ押さえバネ
26     枝押さえ具
27     引き鋸柄
28     鋸刃スライド部材
29     鋸刃機能取り替え回転軸接続部材
30     枝切り機保持吊りベルト部材
【図１】
2014230533.tif 000003
【図２】
2014230533.tif 000004
【図３】
2014230533.tif 000005
【図４】
2014230533.tif 000006
【図５】
2014230533.tif 000007
【図６】
2014230533.tif 000008
【図７】
2014230533.tif 000009
【図８】
2014230533.tif 000010
【図９】
2014230533.tif 000011
【図１０】
2014230533.tif 000012
【図１１】
2014230533.tif 000013
【図１２】
2014230533.tif 000014
【図１３】
2014230533.tif 000015
【図１４】
2014230533.tif 000016
【図１５】
2014230533.tif 000017
【図１６】
2014230533.tif 000018